(57)【要約】  扉（１）の断熱材を薄くしても、扉（１）の強度の低下を招くことのない冷蔵庫（１００）を得ることを目的とする。正面を開口とした箱体（９）と、箱体（９）の正面の開口を開閉自在に塞ぐ扉（１）とを有する。扉（１）は、ガラス面材（１７）と、ガラス面材（１７）と対向するように配置される内板（２）と、ガラス面材（１７）と内板（２）との間に配置される断熱材（５）と、内板（２）の開口側の外縁に渡って取り付けられるマグネットガスケット（８）と、マグネットガスケット（８）より内側にあって、かつ内板（２）の左辺側から開口側へ突出する内板突出部（３ａ）と、マグネットガスケット（８）より内側にあって、かつ内板（２）の右辺側から開口側へ突出する内板突出部（３ｂ）と、を有する。内板突出部（３ａ）及び内板突出部（３ｂ）は、内板突出部（３ａ）及び内板突出部（３ｂ）の内部において、高さ方向に渡って補強部材（４）を備えている。
2016113907.tif 000002
【特許請求の範囲】
【請求項１】
正面を開口とした箱体と、
前記箱体の正面の開口を開閉自在に塞ぐ扉とを有し、
前記扉は、
外板と、
前記外板と対向するように配置される内板と、
前記外板と内板との間に配置される断熱材と、
前記内板の前記開口側の外縁に渡って取り付けられるマグネットガスケットと、
前記マグネットガスケットより内側であって、かつ前記内板の左辺側から高さ方向に渡って前記開口側へ突出する左側突出部と、
前記マグネットガスケットより内側であって、かつ前記内板の右辺側から高さ方向に渡って前記開口側へ突出する右側突出部と、
を有し、
前記左側突出部及び前記右側突出部の内部には、高さ方向に渡って補強部材が備えられている
冷蔵庫。
【請求項２】
前記補強部材は、平板状の金属板で構成されている
請求項１に記載の冷蔵庫。
【請求項３】
正面を開口とした箱体と、
前記箱体の正面の開口を開閉自在に塞ぐ扉とを有し、
前記扉は、
外板と、
前記外板と対向するように配置される内板と、
前記外板と内板との間に配置される断熱材と、
前記内板の前記開口側の外縁に渡って取り付けられるマグネットガスケットと、
前記マグネットガスケットより内側であって、かつ前記内板の左辺側から高さ方向に渡って前記開口側へ突出する左側突出部と、
前記マグネットガスケットより内側であって、かつ前記内板の右辺側から高さ方向に渡って前記開口側へ突出する右側突出部と、
を有し、
前記左側突出部及び前記右側突出部の高さは、前記断熱材の厚さの３倍以上である
冷蔵庫。
【請求項４】
前記断熱材は、厚さが１５〜２０ｍｍである
請求項１〜３の何れか一項に記載の冷蔵庫。
【請求項５】
前記断熱材は、真空断熱材の被覆率が６５％以上である
請求項１〜４の何れか一項に記載の冷蔵庫。
【発明の詳細な説明】
【技術分野】
【０００１】
本発明は、冷蔵庫、特に冷蔵庫の扉の構造に関するものである。
【背景技術】
【０００２】
従来の冷蔵庫の扉において、例えば、引き出し式の扉は、間隔をあけて配設される前板と後板で構成され、これらの前板と後板との間に真空断熱材が配設されることで、引き出し式の扉の断熱性を向上させている。前板と後板は、引き出し式の扉の左右両端部で端部同士が突き合うか部分的に重なって貯蔵室全体を隙間無く囲むように構成されている。そして、引き出し式の扉の左右の両端寄りの部分の内側には、貯蔵室の断熱性能の向上のために、貯蔵室の内部に向かって大きく突出する左右の突出部が設けられている冷蔵庫が提案されている（例えば特許文献１参照）。【０００３】
また、観音開き式の扉において、扉の内板の左右の両端に突出部を設け、さらに左右の突出部に懸架される扉ポケットを設けることで、貯蔵室内の収納量を大きくする冷蔵庫が提案されている（例えば特許文献２参照）。
【先行技術文献】
【特許文献】
【０００４】
【特許文献１】特開２０１４−６６３８６号公報
【特許文献２】特開２０１４−２０５７２号公報
【発明の概要】
【発明が解決しようとする課題】
【０００５】
しかし、特許文献１及び特許文献２に開示された冷蔵庫の扉の突出部は、貯蔵室の断熱性能の向上、及び貯蔵室内の収納量の増加を目的としたもので、冷蔵庫の扉の強度の向上を目的としたものではなかった。ここで、冷蔵庫の設置寸法を拡大することなく、冷蔵庫の内容積を拡大する方法として、冷蔵庫の筐体の一部を構成する断熱材の厚さを薄くする方法がある。この際、特許文献１及び特許文献２に開示された冷蔵庫において、扉の断熱材の厚さを薄くしていくと、扉の強度の低下によって扉が変形し、扉に備えられたマグネットガスケットと冷蔵庫本体との間に隙間が生じ、冷気が漏れるといった問題があった。【０００６】
本発明は、上記のような課題を解決するためになされたもので、扉の断熱材を薄くしても、扉の強度が低下しない冷蔵庫を得ることを目的とする。
【課題を解決するための手段】
【０００７】
本発明に係る冷蔵庫は、正面を開口とした箱体と、前記箱体の正面の開口を開閉自在に塞ぐ扉とを有し、前記扉は、外板と、前記外板と対向するように配置される内板と、前記外板と内板との間に配置される断熱材と、前記内板の前記開口側の外縁に渡って取り付けられるマグネットガスケットと、前記マグネットガスケットより内側であって、かつ前記内板の左辺側から高さ方向に渡って前記開口側へ突出する左側突出部と、前記マグネットガスケットより内側であって、かつ前記内板の右辺側から高さ方向に渡って前記開口側へ突出する右側突出部と、を有し、前記左側突出部及び前記右側突出部の内部には、高さ方向に渡って補強部材が備えられているものである。
【発明の効果】
【０００８】
本発明によれば、扉の内板の右側壁部と左側壁部の内部に補強部材を備えることで、扉の断熱材を薄くしても、扉の強度が低下しない冷蔵庫を得ることができる。
【図面の簡単な説明】
【０００９】
【図１】本発明の実施の形態１に係る冷蔵庫の概略斜視図である。
【図２】本発明の実施の形態１に係る扉の分解構成図である。
【図３】本発明の実施の形態１に係る扉の概略断面図である。
【図４】図３の破線で囲まれた箇所の拡大図である。
【図５】本発明の実施の形態１に係る補強部材を内板突出部に固定する例を示す図である。
【図６】本発明の実施の形態１に係る補強部材を内板突出部に固定する例を示す図である。
【図７】扉の変形例を示す概略図である。
【図８】断熱材の厚さと扉の強度との関係の計算例を示すグラフである。
【図９】本発明の実施の形態２に係る扉の分解構成図である。
【図１０】扉の端部の拡大断面図である。
【図１１】本発明の実施の形態２に係る内板突出高さと扉の強度との関係の計算例を示すグラフである。
【図１２】本発明の実施の形態３に係る扉の分解構成図である。
【図１３】扉の端部の拡大断面図である。
【図１４】本発明の実施の形態４に係る扉の分解構成図である。
【図１５】扉の端部の拡大断面図である。
【発明を実施するための形態】
【００１０】
以下、本発明の冷蔵庫１００の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１１】
実施の形態１．
図１は、本発明の実施の形態１に係る冷蔵庫１００の概略斜視図である。図１に示されるように、冷蔵庫１００は、正面が開口した箱体９と、箱体９の開口部を塞ぐ観音開き式の扉１ａ及び扉１ｂを備えている。扉１ａ及び扉１ｂは、下部に設けられたハンドル７を引く、又は押すことにより、ヒンジ６を中心軸として開閉自在となっている。なお、扉１ａ及び扉１ｂのそれぞれを特に区別しない場合、扉１と称する。
【００１２】
図２は、本発明の実施の形態１に係る扉１の分解構成図である。図２に示されるように、扉１は、冷蔵庫１００の前面側からガラス面材１７、枠縁キャップ１８、内板２及びマグネットガスケット８の順で構成されている。枠縁キャップ１８の下部には、ハンドル７が設けられている。内板２の側面には、補強部材４が設けられている。なお、ガラス面材１７は、本発明における「外板」に相当する。
【００１３】
図３は、本発明の実施の形態１に係る扉１の概略断面図である。図３に示されるように、発泡ウレタン５は、前面側をガラス面材１７で、後面側を内板２で、左右の両側を枠縁キャップ１８で囲まれている。マグネットガスケット８の内側であって、内板２の左右の両端側には、冷蔵庫１００の高さ方向に渡って開口部へ突出する内板突出部３ａ及び内板突出部３ｂが設けられている。内板突出部３ａと発泡ウレタン５との間には、後述する補強部材４が設けられている。同様に、内板突出部３ｂと発泡ウレタン５との間には、補強部材４が設けられている。なお、内板突出部３ａ及び内板突出部３ｂのそれぞれを特に区別しない場合、内板突出部３と称する。
【００１４】
ここで、ガラス面材１７と内板２との間の厚さを扉の厚さ１１（断熱材の厚さ）とすると、扉１の強度は、扉の断面二次モーメントにより求まるので、扉の厚さ１１の３乗に比例する。断熱材は、発泡ウレタン５と後述する真空断熱材１６からなり、断熱材の厚さの範囲としては、例えば１５〜２０ｍｍである。これは、発泡ウレタン５に断熱性能を期待しない場合、発泡ウレタン５の厚さを５ｍｍとし、真空断熱材１６の厚さを１０〜１５ｍｍとすることで、扉１の断熱性能を確保できるからである。
【００１５】
なお、内板突出部３ａは、本発明における「左側突出部」に相当する。また、内板突出部３ｂは、本発明における「右側突出部」に相当する。
【００１６】
図４は、図３の破線で囲まれた箇所の拡大図である。図４に示されるように、補強部材４は、接着部材１２を介して内板突出部３ｂに接着されている。補強部材４は、発泡ウレタン５に埋設されており、扉１の強度を補強するものである。補強部材４は、曲げ弾性の大きい平板状の金属板で構成され、その厚さは例えば１ｍｍ〜２ｍｍである。接着部材１２としては接着剤を用いるが、補強部材４を内板突出部３ｂに固定できれば断面二次モーメントが大きくなり、扉１の強度が上がるので、両面テープ又はホットメルト等を用いてもよい。
【００１７】
図５及び図６は、本発明の実施の形態１に係る補強部材４を内板突出部３ｂに固定する例を示す図である。図５に示されるように、補強部材４は、上述した接着部材１２で固定する代わりに、内板突出部３ｂに設けられた爪形状１３に嵌合することで固定することができる。また、図６に示されるように、内板突出部３ｂに設けられたリブ１４へ圧入することで固定することができる。このように、爪形状１３及びリブ１４によって、内板突出部３ｂに補強部材４が固定されることで、断面二次モーメントが大きくなり扉１の強度が上がる。
【００１８】
図７は、扉１の変形例を示す概略図である。図１及び図７に示されるように、扉１を開ける際は、ヒンジ６と略対角に配設されたハンドル７を矢印に示す方向に引っ張る。この際、扉１の強度が弱い場合、又は扉１が補強部材４を備えていない場合には、扉１が変形し、マグネットガスケット８と箱体９との間に隙間１０が生じる。その結果、冷蔵庫１００内の冷気が漏れる等の不具合が生じてしまう。
【００１９】
図８は、扉の厚さ１１（断熱材の厚さ）と扉１の強度との関係の計算例を示すグラフである。図８に示されるように、冷蔵庫１００が補強部材４を備えていない場合において、断熱材の厚さが２０ｍｍの時の扉１の変位を１とする。ここで、断熱材の厚さが、２０ｍｍから増加するに伴い、扉１の変位は減少する。一方で、断熱材の厚さが、２０ｍｍから減少するに伴い、扉１の変位は増加する。このことから、冷蔵庫１００が補強部材４を備えていない場合において、断熱材の厚さを薄くさせると扉１の強度は低下する。
【００２０】
以上のことから、冷蔵庫１００が、内板突出部３に補強部材４を備えることで、扉１の強度が増し、扉１がたわむことを抑制することができるので、冷蔵庫１００内の冷気が漏れる等の不具合を防ぐことができる。
【００２１】
なお、本実施の形態１では、内板突出部３ｂについて説明したが、本発明はこれに限定されず、内板突出部３ａは、内板突出部３ｂと同じ構造のため、内板突出部３ａについても内板突出部３ｂと同様のことが言える。このことは後述する実施の形態２〜４についても同様である。
【００２２】
実施の形態２．
本実施の形態２における冷蔵庫１００の基本的な構成は実施の形態１における冷蔵庫１００と同様であるため、以下、実施の形態１との相違点を中心に本実施の形態２を説明する。実施の形態１と本実施の形態２との相違点は、補強部材４を設けずに内板突出部３の高さを高くすることで扉１の強度を向上させている点である。
【００２３】
図９は、本発明の実施の形態２に係る扉１の分解構成図である。図９に示されるように、扉１は、冷蔵庫１００の前面側からガラス面材１７、枠縁キャップ１８、内板２及びマグネットガスケット８の順で構成されている。枠縁キャップ１８の下部には、ハンドル７が設けられている。
【００２４】
図１０は、扉１の端部の拡大断面図である。図１０に示されるように、内板突出部３ｂの高さである内板突出高さ１５は、断熱材の厚さ１１に比べ３倍以上高くなっている。上述したように、扉１の強度は、扉の断面二次モーメントより、扉の厚さ１１の３乗に比例する。冷蔵庫１００の内容積を拡大するために、扉の厚さ１１を薄くしていくと、扉１の強度は低下していく（図８参照）。そこで、扉の厚さ１１を厚くする代わりに、内板突出部３ｂの高さである内板突出高さ１５を断熱材の厚さ１１の３倍以上の高さとすることで、扉１の断面二次モーメントを大きくし、扉１の強度を向上させている。なお、内板突出部３ｂの高さである内板突出高さ１５は、扉１へ取り付ける収納ポケットの収納量を維持するために、断熱材の厚さ１１の４倍を上限とする。
【００２５】
図１１は、本発明の実施の形態２に係る内板突出高さ１５と扉１の強度との関係の計算例を示すグラフである。断熱材の厚さが２０ｍｍであると仮定し、その３倍である６０ｍｍを内板突出高さ１５の基準とし、内板突出高さ１５が６０ｍｍの時の扉１の変位を１とする。ここで、内板突出高さ１５が、６０ｍｍから増加するに伴い、扉１の変位は減少する。一方で、内板突出高さ１５が、６０ｍｍから減少するに伴い、扉１の変位は増加する。このことから、内板突出高さ１５を６０ｍｍより減少させると扉１の強度は低下する。
【００２６】
以上のことから、内板突出部３の高さである内板突出高さ１５を扉の厚さ１１に比べ３倍以上高くすることで、扉１の強度が増し、扉１がたわむことを抑制することができるので、冷蔵庫１００内の冷気が漏れる等の不具合を防ぐことができる。
【００２７】
実施の形態３．
本実施の形態３における冷蔵庫１００の基本的な構成は実施の形態１における冷蔵庫１００と同様であるため、以下、実施の形態１との相違点を中心に本実施の形態３を説明する。実施の形態１と本実施の形態３との相違点は、断熱材が、発泡ウレタン５及び真空断熱材１６で構成されている点である。
【００２８】
図１２は、本発明の実施の形態３に係る扉１の分解構成図である。図１２に示されるように、扉１は、冷蔵庫１００の前面側からガラス面材１７、枠縁キャップ１８、真空断熱材１６、内板２及びマグネットガスケット８の順で構成されている。枠縁キャップ１８の下部には、ハンドル７が設けられている。内板２の側面には、補強部材４が設けられている。
【００２９】
図１３は、扉１の端部の拡大断面図である。図１３に示されるように、内板２とガラス面材１７との間には、発泡ウレタン５及び真空断熱材１６が設けられている。真空断熱材１６は、発泡ウレタン５と比較して約１０倍の断熱性を有する。つまり、真空断熱材１６を断熱材として使用して扉１の断熱性能を維持しようとすると、発泡ウレタン５のみを断熱材として使用した場合と比較して、断熱材の厚さ１１を約１０分の１に薄くすることが可能となる。なお、真空断熱材１６は、断熱性能を確保するため、扉１に対して、被覆率を６５％以上とすることが必要である。なお、発泡ウレタン５、又は発泡ウレタン５及び真空断熱材１６は、本発明における「断熱材」相当する。
【００３０】
上述したように、真空断熱材１６の高い断熱性により扉の厚さ１１が薄くなり、扉１の強度は弱くなるため、扉１を補強する必要がある。そこで、実施の形態１と同様に扉１の内板突出部３ｂに補強部材４を設け、扉１の強度を向上させている。
【００３１】
以上のことから、断熱材として、発泡ウレタン５に加え真空断熱材１６を使用しても、冷蔵庫１００が、内板突出部３に補強部材４を備えることで、扉１の強度が増し、扉１がたわむことを抑制することができるので、冷蔵庫１００内の冷気が漏れる等の不具合を防ぐことができる。
【００３２】
実施の形態４．
本実施の形態４における冷蔵庫１００の基本的な構成は実施の形態２における冷蔵庫１００と同様であるため、以下、実施の形態２との相違点を中心に本実施の形態４を説明する。実施の形態２と本実施の形態４との相違点は、断熱材が、発泡ウレタン５及び真空断熱材１６で構成されている点である。
【００３３】
図１４は、本発明の実施の形態４に係る扉１の分解構成図である。図１４に示されるように、扉１は、冷蔵庫１００の前面側からガラス面材１７、枠縁キャップ１８、真空断熱材１６、内板２及びマグネットガスケット８の順で構成されている。枠縁キャップ１８の下部には、ハンドル７が設けられている。
【００３４】
図１５は、扉１の端部の拡大断面図である。図１５に示されるように、内板２とガラス面材１７との間には、発泡ウレタン５及び真空断熱材１６が設けられている。真空断熱材１６は、発泡ウレタン５と比較して約１０倍の断熱性を有する。つまり、真空断熱材１６を断熱材として使用して扉１の断熱性能を維持しようとすると、発泡ウレタン５のみを断熱材として使用した場合と比較して、断熱材の厚さ１１を約１０分の１に薄くすることが可能となる。
【００３５】
したがって、扉１の強度は弱くなるため、扉１を補強する必要がある。そこで、実施の形態２と同様に、内板突出部３ｂの内板突出高さ１５を扉の厚さ１１に比べ３倍以上高くすることで、扉１の強度を向上させている。
【００３６】
以上のことから、断熱材として、発泡ウレタン５に加え真空断熱材１６を使用しても、内板突出部３ｂの高さである内板突出高さ１５を断熱材の厚さ１１に比べ３倍以上高くすることで、扉１の強度が増し、扉１がたわむことを抑制することができるので、冷蔵庫１００内の冷気が漏れる等の不具合を防ぐことができる。
【００３７】
なお、本発明を上記の実施の形態１〜４に分けて説明したが、本発明はこれらの実施の形態１〜４を直接組み合わせてもよい。
【符号の説明】
【００３８】
１  扉、１ａ  扉、１ｂ  扉、２  内板、３  内板突出部、３ａ  内板突出部、３ｂ  内板突出部、４  補強部材、５  発泡ウレタン、６  ヒンジ、７  ハンドル、８  マグネットガスケット、９  箱体、１０  隙間、１１  扉の厚さ、１２  接着部材、１３  爪形状、１４  リブ、１５  内板突出高さ、１６  真空断熱材、１７  ガラス面材、１８  枠縁キャップ、１００  冷蔵庫。
【図１】
2016113907.tif 000003
【図２】
2016113907.tif 000004
【図３】
2016113907.tif 000005
【図４】
2016113907.tif 000006
【図５】
2016113907.tif 000007
【図６】
2016113907.tif 000008
【図７】
2016113907.tif 000009
【図８】
2016113907.tif 000010
【図９】
2016113907.tif 000011
【図１０】
2016113907.tif 000012
【図１１】
2016113907.tif 000013
【図１２】
2016113907.tif 000014
【図１３】
2016113907.tif 000015
【図１４】
2016113907.tif 000016
【図１５】
2016113907.tif 000017
【手続補正書】
【提出日】平成29年3月7日(2017.3.7)
【手続補正１】
【補正対象書類名】明細書
【補正対象項目名】０００７
【補正方法】変更
【補正の内容】
【０００７】
本発明に係る冷蔵庫は、正面を開口とした箱体と、前記箱体の正面の開口を開閉自在に塞ぐ扉とを有し、前記扉は、ガラス面材である外板と、前記外板と対向するように配置される内板と、前記外板と内板との間に配置され、ウレタンと、真空断熱材とにより構成された断熱材と、前記内板の前記開口側の外縁に渡って取り付けられるマグネットガスケットと、前記マグネットガスケットより内側であって、かつ前記内板の左辺側から高さ方向に渡って前記開口側へ突出する左側突出部と、前記マグネットガスケットより内側であって、かつ前記内板の右辺側から高さ方向に渡って前記開口側へ突出する右側突出部と、を有し、前記左側突出部及び前記右側突出部の内部には、高さ方向に渡って補強部材が備えられているものである。
【手続補正２】
【補正対象書類名】特許請求の範囲
【補正対象項目名】全文
【補正方法】変更
【補正の内容】
【特許請求の範囲】
【請求項１】
正面を開口とした箱体と、
前記箱体の正面の開口を開閉自在に塞ぐ扉とを有し、
前記扉は、
ガラス面材である外板と、
前記外板と対向するように配置される内板と、
前記外板と内板との間に配置され、ウレタンと、真空断熱材とにより構成された断熱材と、
前記内板の前記開口側の外縁に渡って取り付けられるマグネットガスケットと、
前記マグネットガスケットより内側であって、かつ前記内板の左辺側から高さ方向に渡って前記開口側へ突出する左側突出部と、
前記マグネットガスケットより内側であって、かつ前記内板の右辺側から高さ方向に渡って前記開口側へ突出する右側突出部と、
を有し、
前記左側突出部及び前記右側突出部の内部には、高さ方向に渡って補強部材が備えられている
冷蔵庫。
【請求項２】
前記補強部材は、平板状の金属板で構成されている
請求項１に記載の冷蔵庫。
【請求項３】
正面を開口とした箱体と、
前記箱体の正面の開口を開閉自在に塞ぐ扉とを有し、
前記扉は、
ガラス面材である外板と、
前記外板と対向するように配置される内板と、
前記外板と内板との間に配置され、ウレタンと、真空断熱材とにより構成された断熱材と、
前記内板の前記開口側の外縁に渡って取り付けられるマグネットガスケットと、
前記マグネットガスケットより内側であって、かつ前記内板の左辺側から高さ方向に渡って前記開口側へ突出する左側突出部と、
前記マグネットガスケットより内側であって、かつ前記内板の右辺側から高さ方向に渡って前記開口側へ突出する右側突出部と、
を有し、
前記左側突出部及び前記右側突出部の高さは、前記断熱材の厚さの３倍以上であり、４倍以下である
冷蔵庫。
【請求項４】
前記断熱材は、厚さが１５〜２０ｍｍである
請求項１〜３の何れか一項に記載の冷蔵庫。
【請求項５】
前記断熱材は、真空断熱材の被覆率が６５％以上である
請求項１〜４の何れか一項に記載の冷蔵庫。
【国際調査報告】
2016113907.tif 000018
2016113907.tif 000019
2016113907.tif 000020
2016113907.tif 000021